(57)【特許請求の範囲】
【請求項１】
超伝導コイルを備えた超伝導磁石装置において、該装置の筐体に複数の永久磁石を着脱自在に取り付け可能にして該装置の周囲におけるガウスラインの調整を可能にしたことを特徴とする超伝導磁石装置。
【請求項２】
請求項１記載の超伝導磁石装置において、該装置の筐体にこれを取り巻くようなバンドを設け、該バンドに前記永久磁石を着脱自在にしたことを特徴とする超伝導磁石装置。
【発明の詳細な説明】
【０００１】
【発明の属する技術分野】
本発明は、超伝導コイルを備えた超伝導磁石装置に関し、特に装置の周囲におけるガウスラインの調整を可能するための改良に関する。このような超伝導磁石装置は特に、ＭＲＩ（Ｍａｇｎｅｔｉｃ  Ｒｅｓｏｎａｎｃｅ  Ｉｍａｇｉｎｇ）用超伝導磁石装置に適している。
【０００２】
【従来の技術】
画像診断用のＭＲＩにおける磁場発生源として超伝導磁石装置を利用したものは、ＭＲＩ用超伝導磁石装置として良く知られている。一般に、超伝導磁石装置においては、漏れ磁場が生ずることは避けられない。このような漏れ磁場は、特にＭＲＩ用超伝導磁石装置では、その設置環境とからみあって診断精度に影響を及ぼす。例えば、平面図による図５に示されるように、ＭＲＩ用超伝導磁石装置４０が鉄骨による柱４１に隣接するようなサイトに設置されたとする。この場合、ＭＲＩ用超伝導磁石装置４０の周囲における、例えば５ガウスのラインは磁性を持つ柱４１の影響を受けて一点鎖線で示すような形状になる。しかしながら、ガウスラインはＭＲＩ用超伝導磁石装置４０を中心として均等であることが望ましい。このため、ＭＲＩ用超伝導磁石装置の周囲におけるガウスラインの形状は、任意に調整可能であることが好ましい。
【０００３】
一方、従来、漏れ磁場を最小にするためにバッキングコイルと呼ばれるコイルを備えることが知られている。このバッキングコイルは、超伝導コイルと同じ超伝導線材により作られ、ＭＲＩ用超伝導磁石装置４０内の超伝導コイルに直列に接続されるものであり、漏れ磁場を打ち消すように作用する。
【０００４】
【発明が解決しようとする課題】
しかしながら、バッキングコイルを備えたＭＲＩ用超伝導磁石装置は同一形式でしか製造されず、ＭＲＩ用超伝導磁石装置の設置されるサイトの実状、設置環境に合わせてガウスラインを調整するようなことはできない。
【０００５】
そこで、本発明の課題は、装置本体の周囲におけるガウスラインの形状が任意に調整可能である超伝導磁石装置を提供することにある。
【０００６】
【課題を解決するための手段】
本発明は、超伝導コイルを備えた超伝導磁石装置において、該装置の筐体に複数の永久磁石を着脱自在に取り付け可能にして該装置の周囲におけるガウスラインの調整を可能にしたことを特徴とする。
【０００７】
具体的には、該装置の筐体にこれを取り巻くようなバンドを設け、該バンドに前記永久磁石を着脱自在にしたことを特徴とする。
【０００８】
【発明の実施の形態】
図１を参照して、本発明の実施の形態をＭＲＩ用超伝導磁石装置に適用した場合について説明する。図１において、ＭＲＩ用超伝導磁石装置１０の筐体１１にこれを取り巻くようなバンド１２を設け、このバンド１２に複数の永久磁石１３を着脱自在にしている。ここでは、バンド１２は装置の中心軸方向に間隔をおいて２本設けられ、それぞれに間隔をおいて永久磁石１３が着脱自在にされている。特に、バンド１２はガイドレールを有することで、永久磁石１３を装置の周方向に位置をずらすことができ、しかも任意の位置で固定することができる構造にされている。そして、バンド１２自体も筐体１１に対して装置の中心軸方向にずらすことができる。
【０００９】
バンド１２の材料は鋼材が好ましいが、樹脂材等、何でも良い。また、永久磁石１３についてもフェライト磁石等、その材質は問わない。
【００１０】
図２は、永久磁石１３を着脱自在にするためのバンド１２の一例を示す。バンド１２は、両側に折り返し部を有するガイドレール形状であり、内部に永久磁石１３が挟み込まれる。永久磁石１３は、押さえ金具１４とネジ１５によりバンド１２に押し付け固定される。ネジ１５を緩めれば、永久磁石１３はバンド１２に沿ってスライド可能である。なお、永久磁石１３をバンド１２に対して着脱自在にするためには、例えば図２（ｂ）に示すように、バンド１２の途中の折り返し部に切り欠きを設けて永久磁石１３を取り出し可能にすれば良い。
【００１１】
このような構造のバンド１２はあくまでも一例であり、永久磁石１３の取り付け構造は、筐体１１の任意の位置に取り付け可能であればどのような構造であっても良い。
【００１２】
永久磁石１３は、装置からの漏れ磁場を打ち消すように極性を考慮して取り付けられる。そして、上記のように、複数の永久磁石１３を装置の筐体１１の任意の位置に取り付けできるようにしているので、装置の漏れ磁場により形成される任意の値のガウスラインの形状を所望の形状に調整することができる。
【００１３】
図３は、図５で説明したように、ＭＲＩ用超伝導磁石装置１０が鉄骨による柱２１に隣接するようなサイトに設置された場合を示している。このような場合であっても、永久磁石１３の取り付け位置を調整することで、例えば５ガウスのラインを、図３に一点鎖線で示すようなＭＲＩ用超伝導磁石装置１０を中心として均等な円形形状にすることができる。なお、永久磁石１３の取り付け位置の調整は、装置の周囲の磁場強度を測定しながら行われることは言うまでも無い。また、図３は、平面図で見た場合のガウスラインの平面形状を示しているが、ガウスラインの形状調整は３次元方向に関して可能であることも言うまでも無い。
【００１４】
図４は、５ガウスラインを任意の形状に形成する場合の一例を一点鎖線で示している。この形状は、あらかじめ図４におけるＭＲＩ用超伝導磁石装置１０の右側に、磁場に影響を及ぼすものがあることを想定していることを意味する。勿論図４のような形状に限らず、平面、立体のいずれでも任意の形状を得ることができる。
【００１５】
なお、図１（ｂ）に破線で示すように、筐体１１において装置の中心軸方向に延びるようなバンドに複数の永久磁石を取り付け可能にしても良い。
【００１６】
本形態によるＭＲＩ用超伝導磁石装置１０は、磁性を持つ静止物、すなわち図３で説明したような鉄骨による柱２１の影響を受けるようなサイトに限らず、ムービングメタル、すなわち自動車や電車のように磁性を持つ移動体が通過する道路、高速道路や鉄道の近くに設置されるようなサイトの場合にも適している。このようなサイトでは、従来のＭＲＩ用超伝導磁石装置ではムービングメタルが通過するたびにガウスラインが乱されることで診断精度に影響がでる。これに対し、本形態によれば、あらかじめムービングメタルの影響を考慮したうえで所定の形状のガウスラインを形成しておくことができる。
【００１７】
本発明の適用範囲はＭＲＩ用超伝導磁石装置に限られるものではなく、漏れ磁場によるガウスラインの形状を調整する必要のある超伝導磁石装置全般に適用可能である。
【００１８】
【発明の効果】
本発明によれば、複数の永久磁石を超伝導磁石装置の筐体の任意の位置に取り付け可能としたことにより、超伝導磁石装置の漏れ磁場に対するキャンセルの機能と任意の値のガウスラインの調整機能とを合わせ持たせることができる。従って、任意の値のガウスラインの形状を超伝導磁石装置が設置されるサイトの実状に合わせて形成することができる。特に、超伝導線材のような高価な材料を必要としないので、安価で実現できる。また、ムービングメタルによる悪影響も防止することができる。
【図面の簡単な説明】
【図１】本発明によるＭＲＩ用超伝導磁石装置を示した図で、図（ａ）は側面図、図（ｂ）は斜め方向から見た図である。
【図２】本発明によりバンドに永久磁石を着脱自在にするための構造と一例を示した図であり、図（ａ）は断面図、図（ｂ）は平面図である。
【図３】図１によるＭＲＩ用超伝導磁石装置についてその５ガウスのラインの平面形状の一例を示した図である。
【図４】図１によるＭＲＩ用超伝導磁石装置についてその５ガウスのラインの他の平面形状を示した図である。
【図５】従来のＭＲＩ用超伝導磁石装置についてその５ガウスのラインの平面形状の例を示した図である。
【符号の説明】
１０、４０    ＭＲＩ用超伝導磁石装置
１１    筐体
１２    バンド
１３    永久磁石
１４    押さえ金具
１５    ネジ
２１、４１    柱
【図１】
0003629656.tif 000002
【図２】
0003629656.tif 000003
【図３】
0003629656.tif 000004
【図４】
0003629656.tif 000005
【図５】
0003629656.tif 000006